(57)【要約】      （修正有）【課題】従来の暗記カードや情報カードは、書き写した問題を見ながらその解答を書き写すことができない。問題に対する解答を間違って書き写すことの無い暗記カードや情報カードを提供する。【解決手段】縦長のカード用紙１の上側に問題ｍを書き込むか又はあらかじめ表示してある問題枠１５を、その下側に解答ｋを書き込む解答枠１６の順に２題一組として表示して暗記カード紙４とし、暗記カード紙４の縦長方向の中間に二つ折り線６２を表示し、且つ問題枠１５と解答枠１６の境界に山折り線６１を表示し、二つ折り線６２の部位を山折りしてその基端に余白部１７を設けて結束部８とし、山折り線を山折りすると共に、山折りしてある二つ折り線の部位を内側になるように谷折りし、谷折りした二つ折り線の縁辺が結束部に届かないように設定し、問題が表面に、解答が二つ折りされた裏面に表示されるように構成する。【選択図】図１
2019137030.tif 000002
【特許請求の範囲】
【請求項１】
縦長のカード用紙（１）の上側に問題（ｍ）を書き込むか又はあらかじめ表示してある問題枠（１５）を、その下側に解答（ｋ）を書き込む解答枠（１６）の順に２題一組として表示して暗記カード紙（４）とし、当該暗記カード紙（４）の縦長方向の中間に二つ折り線（６２）を表示し、且つ問題枠（１５）と解答枠（１６）の境界に山折り線（６１）を表示し、二つ折り線（６２）の部位を山折りしてその基端に余白部（１７）を設けて結束部（８）とし、山折り線（６１）を山折りすると共に、山折りしてある二つ折り線（６２）の部位を内側になるように谷折りし、谷折りした二つ折り線（６２）の縁辺が結束部（８）に届かないように設定し、問題（ｍ）が表面に、解答（ｋ）が二つ折りされた裏面に表示されるようにしたことを特徴とする暗記カード作成紙又は暗記カード。
【請求項２】
横長のカード用紙（１）の左側に問題（ｍ）を書き込むか又はあらかじめ表示してある問題枠（１５）を、その右側に解答（ｋ）を書き込むか又はあらかじめ表示してある解答枠（１６）の順に２題一組として表示して暗記カード紙（４）とし、当該暗記カード紙（４）の横長方向の中間に二つ折り線（６２）を表示し、且つ問題枠（１５）と解答枠（１６）の境界に山折り線（６１）を表示し、二つ折り線（６２）の部位を山折りしてその基端を結束部（８）とし、山折り線（６１）を山折りするときに、山折りしてある二つ折り線（６２）の部位を内側になるように谷折りし、谷折りした二つ折り線（６２）の縁辺が結束部（８）に届かないように設定し、問題（ｍ）が表面に、解答（ｋ）が二つ折りされた裏面に表示されるようにしたことを特徴とする暗記カード作成紙又は暗記カード。
【請求項３】
同一紙面の表面と裏面に問題（ｍ）を書き込むか又は予め問題が表示されている問題枠（15）と、解答を書き込むか予め解答が表示されている解答枠（16）が表示されている縦長のカード用紙（１）に左右で一対の暗記カード紙（４）を表示し、その暗記カード紙（４）の横幅方向の中間に上下の結束部となる余白部（１８）・（１９）を残して切込み線（ｍｌ）を表示し、その切込み線の延長線上の余白（１８）・（１９）を折曲げ部とし、縦長の暗記カード紙（４）の縦方向中間の二つ折り線（６２）を山折りした後、当該切込み線（ｍｌ）に切り込みを入れると共に余白部（１８）・（１９）を切込み線上に沿って二つ折りして２枚一対の暗記カード紙（４）を形成するようにした請求項１記載の暗記カード作成紙又は暗記カード。
【請求項４】
同一紙面の表面と裏面に問題（ｍ）を書き込むか又は予め問題が表示されている問題枠（15）と、解答を書き込むか予め解答が表示されている解答枠（16）が表示されている横長のカード用紙（１）に上下で一対又は二対の暗記カード紙（４）を表示し、その暗記カード紙（４）の縦方向の中間及び最上段と２段目及び３段目と最下段の間に左右の結束部となる余白部（１８）・（１９）を残して切込み線（ｍｌ）を表示し、その切込み線の延長線上の余白部（１８）・（１９）を折曲げ部とし、横長の用紙（１）の横方向中間の二つ折り線（６２）を山折りした後、当該切込み線（ｍｌ）に切り込みを入れると共に、余白部（１８）・（１９）を切込み線上に沿って二つ折りして２枚一対又は４枚二対の暗記カード紙（４）を形成するようにした請求項２又は請求項３記載の暗記カード作成紙又は暗記カード。
【請求項５】
カード用紙（１）を縦長方向に連続して暗記カード紙（４）を形成した請求項１又は請求項３記載の暗記カード作成紙又は暗記カード。
【請求項６】
直方体（ｔ）の各面を暗記カード紙（４）の問題枠（１５）と解答枠（１６）の幅に合わせて成形し、その各面に暗記カード紙（４）を巻き付けて問題（ｍ）と解答（ｋ）ごとに表示できるようにした請求項１又は請求項３記載の暗記カード作成紙又は暗記カード。
【請求項７】
複数枚の暗記カード（４）を縦長の中間から２つ折りして重ねた両端の余白部（１７）を結束して結束部（８）とした請求項１又は請求項３記載の暗記カード作成紙又は暗記カード。
【請求項８】
複数枚の暗記カード紙（４）を縦長方向の中央から２つ折りして重ねた両端の余白部（１７）を結束して結束部（８）とすると共に、当該結束部に穴（１０）をあけ、結束部（８）に被冠形のホルダー（ｈ）を被せて綴じ部材（１１）で綴じるようにした請求項１又は請求項３記載の暗記カード。
【請求項９】
横長方向の中間から二つ折りしてノート又は問題集又は簡易製本にするサイズにした複
数枚の暗記カード紙（４）を横長方向の中央から二つ折りして重ねた両端の余白部を結束して結束部（８）とした請求項２ないし請求項４記載の暗記カード。
【請求項１０】
暗記カード紙（４）の一端の余白部に穴（１０）を明け、状差し（２０）の垂直針（２０１）に挿しておくことができるようにした請求項１又は請求項３記載の暗記カード作成紙又は暗記カード。
【請求項１１】
暗記カード用紙（４）を山折り線（６１）と二つ折り線（６２）に沿ってそれぞれ山折りと谷折りをして問題と解答１題分又は数題分に畳んだカードを栞（２１）で巻いて問題集又はノート（Ｎ）に差し挟めるようにした請求項１ないし請求項４記載の暗記カード。
【請求項１２】
横長のカード用紙（１）の左側の問題枠（１５）に問題（ｍ）を、右側の解答枠（１６）に解答（ｋ）を印刷した問題集（Ｎ）であって、解答枠（１６）に解答（ｋ）を鉛筆や容易に消せる筆記具でなぞれるように表示した請求項１ないし請求項４記載の暗記カード作成紙又は暗記カード。
【発明の詳細な説明】
【技術分野】
【０００１】
本発明は、問題と解答を同一紙面に表示すると共に、その問題と解答の境界から解答側を折り込んで問題を表面に表示し、解答を裏面に表示できるようにする暗記カード作成紙又は暗記カードに関するものである。
【背景技術】
【０００２】
暗記カードや情報カードと称されるものには、問題と解答を同一紙面上に表示できるものはない。また、問題と解答を同一紙面上に表示できる暗記カード及び情報カード形式で暗記の繰り返しができる問題集や本もない。さらに、問題と解答が同一紙面上に表示される暗記カード及び情報カード形式になるメモ帳やノートもない。よって、問題と解答を何度も見比べながら、実際に解答をなぞり、ある程度覚えてからカード形式で暗記作業を繰り返すというステップがないため、覚えたものと覚えていないものの区別が容易でなく、効率的に覚えられるものがないため、通常のカードや本やメモ帳やノートでは、覚えられないという人々が多数いるのが実情である。
【先行技術文献】
【特許文献】
【０００３】
【特許文献１】特開２００７−１３６７５２号公報
【発明の概要】
【発明が解決しようとする課題】
【０００４】
通常の暗記カードや情報カードは、書き写した問題を見ながらその解答を書き写すことができない。そのため、今でも問題に対する解答を間違って書き写すことが多々ある。
【０００５】
また、解答をなぞったり、問題と解答を同時に見ながら暗記したりするというステップがないため、即時に問題が表面で解答が裏面となったカードで、問題に挑戦という暗記方法しかない。そこで、実際に解答をなぞってみる。そして、ある程度、定着するまで、問題と解答を同一紙面上で見比べる。そして最終的にカード形式にして暗記を繰り返す、という一連のステップが、通常のカードや問題集にはないため、カードを作成しても、また、カード形式の問題集であっても覚えられず、カードでの暗記作業をしなくなる人々が多数いる。また、本や問題集には、解答をなぞったり、問題と解答を同時に見比べたりするというステップはあるが、カード形式にして暗記を繰り返せるものがない。また、通常のノートやメモ帳にも同様のカード形式で暗記を繰り返せるものが存在しない。
【０００６】
さらに、通常の暗記カードや情報カードには、作成したカードを管理するものがない。そのため、作成したカードの知識定着度の把握及び管理が効率的にできない。また、基礎知識の定着には繰り返し暗記は必須で、その繰り返し暗記ができるような形式で指導者が学習者に配布するものはない。そのため、多くの学習者達は、配布された資料では、覚えられないというのが現状である。
【課題を解決するための手段】
【０００７】
しかし、先ず、問題と解答を同時に見比べながら解答をなぞり、問題と解答を覚える。その後、覚えたものをカード形式にし、知識として定着するまで、暗記の繰り返しができる教材で配布されれば、もっと多くの学習者達が、より多くの知識の習得ができるはずである。それらが本発明で可能となる。
【０００８】
本発明で、問題と解答が同一紙面上に表示できるカードでありながら、作成したカードの知識定着度の把握及び管理が効率的にできる未書き込みのカードとメモ帳とノート、及び印刷された問題と解答を同一紙面上に表示し、問題と解答を確認しながら解答をなぞって確認した後、カード形式にして、暗記の繰り返しが出来るカードや本を指導者が学習者達に配布できるようになる。
【０００９】
本発明の第１は、暗記カード作成紙又は暗記カードにおいて、縦長のカード用紙の上側に問題を書き込むか又はあらかじめ表示してある問題枠を、その
下側に解答を書き込む解答枠の順に２題一組として表示して暗記カード紙とし、当該暗記カード紙の縦長方向の中間に二つ折り線を表示し、且つ問題枠と解答枠の境界に山折り線を表示し、二つ折り線の部位を山折りしてその基端に余白部を設けて結束部とし、山折り線を山折りすると共に、山折りしてある二つ折り線の部位を内側になるように谷折りし、谷折りした二つ折り線の縁辺が結束部に届かないように設定し、問題が表面に、解答が二つ折りされた裏面に表示されるようにしたものである。
【００１０】
本発明の第２は、暗記カード作成紙又は暗記カードにおいて、横長のカード用紙の左側に問題を書き込むか又はあらかじめ表示してある問題枠を、その右側に解答を書き込むか又はあらかじめ表示してある解答枠の順に２題一組として表示して暗記カード紙とし、当該暗記カード紙の横長方向の中間に二つ折り線を表示し、且つ問題枠と解答枠の境界に山折り線を表示し、二つ折り線の部位を山折りしてその基端を結束部とし、山折り線を山折りするときに、山折りしてある二つ折り線の部位を内側になるように谷折りし、谷折りした二つ折り線の縁辺が結束部に届かないように設定し、問題が表面に、解答が二つ折りされた裏面に表示されるようにしたものである。
【００１１】
本発明の第３は、第１の発明に係る暗記カード作成紙又は暗記カードにおいて、同一紙面の表面と裏面に問題を書き込むか又は予め問題が表示されている問題枠と、解答を書き込むか予め解答が表示されている解答枠が表示されている縦長のカード用紙に左右で一対の暗記カード紙を表示し、その暗記カード紙の横幅方向の中間に上下の結束部となる余白部を残して切込み線を表示し、その切込み線の延長線上の非切込み余白を折曲げ部とし、縦長の暗記カード紙の縦方向中間の二つ折り線を山折りした後、当該切込み線に切り込みを入れると共に余白部を切込み線上に沿って二つ折りして２枚一対の暗記カード紙を形成するようにしたものである。
【００１２】
本発明の第４は、第２又は第３の発明に係る暗記カード作成紙又は暗記カードにおいて、同一紙面の表面と裏面に問題を書き込むか又は予め問題が表示されている問題枠と、解答を書き込むか予め解答が表示されている解答枠が表示されている横長のカード用紙に上下で一対又は二対の暗記カード紙を表示し、その暗記カード紙の縦方向の中間及び最上段と２段目及び３段目と最下段の間に左右の結束部となる余白部を残して切込み線を表示し、その切込み線の延長線上の余白部を折曲げ部とし、横長の用紙の横方向中間の二つ折り線を山折りした後、当該切込み線に切り込みを入れると共に、余白部を切込み線上に沿って二つ折りして２枚一対又は４枚二対の暗記カード紙を形成するようにしたものである。
【００１３】
本発明の第５は、第１又は第３の発明に係る暗記カード作成紙又は暗記カードにおいて、カード用紙を縦長方向に連続して暗記カード紙を形成したものである。
【００１４】
本発明の第６は、第１の発明又は第３の発明に係る暗記カードにおいて、直方体の各面を問題枠と解答枠の幅に合わせて成形し、その各面にカード用紙（１）を巻き付けて問題と解答ごとに表示できるようにしたものである。
【００１５】
本発明の第７は、第１又は第３の発明に係る暗記カードにおいて、複数枚の暗記カードを縦長の中央から２つ折りして重ねた両端の余白部を結束して結束部としたものである。
【００１６】
本発明の第８は、第１又は第３の発明に係る暗記カードにおいて、複数枚の暗記カード紙を縦長方向の中央から二つ折りして重ねた両端の余白部を結束して結束部とすると共に、当該結束部に穴をあけ、結束部に被冠形のホルダーを被せて綴じ部材で綴じるようにしたものである。
【００１７】
本発明の第９は、第２ないし第４の発明に係る暗記カードにおいて、横長方向の中央から二つ折りしてノート又は問題集又は簡易製本にするサイズにした複数枚の暗記カード紙を横長方向の中間から２つ折りして重ねた両端の余白部を結束して結束部としたものである。
【００１８】
本発明の第１０は、第１又は第３の発明に係る暗記カードにおいて、暗記カード紙の一端の余白部に穴を明け、状差しの垂直針に挿しておくことができるようにしたものである。
【００１９】
本発明の第１１は、第１ないし第４の発明に係る暗記カードにおいて、暗記カード紙を山折り線と二つ折り線に沿ってそれぞれ山折りと谷折りをして問題と解答１題分又は数台分に畳んだ暗記カードを栞で巻いて問題集又はノートに差し挟めるようにしたものである。
【００２０】
本発明の第１２は、第１ないし第４の発明に係る暗記カードにおいて、横長のカード用紙の左側の問題枠に問題を、右側の解答枠に解答を印刷した問題集であって、解答枠の解答を鉛筆や容易に消せる筆記具でなぞれるように表示するものである。
【発明の効果】
【００２１】
本発明は、上記の構成であるから、次に述べる作用効果がある。
第１に、通常、１枚の用紙に結束部が２ヶ所あるが、最低でも、カードに書き始める直前と書き終わった直後の２ヶ所に結束部が有りさえすれば、暗記カードや情報カードのように、表面が問題で二つ折りして折り返した裏面が解答となるカード束にすることができる。これによって、同一紙面に問題と解答が表示してあっても問題を解く前に解答が見えてしまうという不都合がなくなる。
第２に、奇数段と偶数段が１８０度で逆さまとなったカード作成紙は、同一紙面の表面と裏面の両面に印刷等で表示してあり、右利き仕様と左利き仕様とが自由に選べるようになった。これによって、切り取り線を切り離し後、結束部を右折りにする方式と左折りにする方式とになった。
第３に、紙には柔軟性があり、折り曲げ線部を使えば使うほど、しなやかになり、問答形式と問答同時表示形式の切り替えがやりやくすなることが分かった。
第４に、問題と解答が上下に開くカード作成紙は、問題とその解答等を上下に書き込む方式のため、インク等で手を汚すことがなくなった。
第５に、問題と解答が同一紙面上に表示できるので、問題と解答を何度も見てから上記第１のカード形式にして暗記の繰り返しができるようになった。
第６に、カード束の結束部がより広く大きくなったため、学習の邪魔にならず、企業のチョットした広告に用いることができることが分かった。
第７に、カード束をカード作成紙の状態に戻し、日付順に保管して行けば、いつ何を作ったかが把握しやすく、カードの定着度管理に応用できることが分かった。
第８に、本や問題集は、問題と解答が同一紙面上に表示してあるところで、解答がなぞれるようになった。
第９に、メモ帳やノートは、全ての表面を書き込み終えた後、ノートの背表紙となる裏面が１枚目となるように書き込んで行けば、表紙側となる表面に書き込んだカードの再確認ができることが分かった。
【図面の簡単な説明】
【００２２】
【図１】ＵＤカード作成方式の暗記カード用紙で、表面の問題枠１５と解答枠１６が裏面にも印刷等で表示されていて、図ａは２題１セットとし、縦長のカード用紙に上から問題ｍと解答ｋの順で書き込むか表示する平面図、図（ｂ）は２題で１セットとし、横長のカード紙（ｂ）に左から問題ｍと解答ｋを書き込む状態を示す平面図である。  ここで、ＵＤカードの「ＵＤ」は、Up and Down(上下) の略語で、問題と解答の位置関係を表す。
【図２】カード作成方式の暗記カード用紙で、図（ａ）〜（ｃ）は、表面の問題枠１５と解答枠１６が裏面にも印刷等で表示されていて、縦長の中間から二つ折りした状態を示す。
【図３】ＵＤカード作成方式のカード用紙であり、縦長の中間から二つ折りした図（ａ）、山折り線から山折りした図（ｂ）、二つ折り線を略Ｗ字形に谷折りして暗記カードを作成した図（ｃ）である。
【図４】ＵＤカード作成方式の暗記カード紙で、２つのカード束の結束部を重ねた図（ａ）と、余白部を重ねた結束部をスライドクリップで束ねた一部を示す図（ｂ）と、その暗記カードを作成する手順を示す図（ｃ）及び図（ｄ）を示す。
【図５】図（ａ）は、ＵＤカード作成方式の暗記カード紙の連続紙であり、図（ｂ）は、暗記カード紙を作成するためのロール紙の斜視図である。
【図６】図（ａ）は、ＵＤカード作成方式の暗記カード紙の連続紙を用いて問題と解答が複数枚で、１束にする方法を示す図（ｂ）である。
【図７】ＵＤカード作成方式の暗記カード紙が２枚で、問題と解答が各４枚となる場合の半分に折り畳むと同時に、指で折り目を付けるのを解説した図である。その後は図４と同じ方法でカード束にする。
【図８】ＵＤカード作成方式の情報カード紙で、問題と解答が２セットで１枚の暗記カード式となる図である。
【図９】左利き仕様のＡ５サイズのＵＤカード作成方式の暗記カード紙で、左上から問題と解答が、右上から解答と問題が４セットで１枚のカード束となるもので、問題と解答の順に書き込む状態又は表示する状態の平面図である。
【図１０】Ａ５サイズのＵＤカード作成方式の暗記カード紙の縦長方向の中央を二つ折りする図である。
【図１１】Ａ５サイズのＵＤカード作成方式の暗記カード紙の縦長方向の中央を二つ折りした後、横幅方向の中間の切込み線から切り離した状態である。
【図１２】図（ａ）はＡ５サイズのＵＤカード作成方式の暗記カード紙の余白部を図１１の矢印方向に折り畳んで重ねた状態の平面図、図（ｂ）は図１の暗記カード紙を重ねてカード束にする状態の斜視図である。
【図１３】右利き仕様のＡ５サイズのＵＤカード作成方式の暗記カード紙で、左上から解答と問題が、右上から問題と解答が４セットで１枚のカード束となるもので、問題と解答の順に書き込む状態又は表示する状態の平面図である。
【図１４】ＵＤカード作成紙を用いた左手仕様のＡ４サイズの情報カード紙で、問題と解答が４セットで１枚のカード束となるもので、問題と解答を書き終わった状態の平面図である。
【図１５】ＵＤカード作成紙を用いた右手仕様のＡ４サイズの情報カード紙で、問題と解答が４セットで１枚のカード束となるもので、問題と解答を書き終わった状態の平面図である。
【図１６】右手仕様のＡ４サイズの暗記カード紙で、問題と解答が８セットで１枚のカード束となる平面図である。
【図１７】図１６のＬＲカード作成紙２の裏面を示し、当該ＬＲカード作成紙を用いた左手仕様のＡ４サイズの暗記カード紙で、問題と解答が８セットで１枚のカード束となる平面図である。
【図１８】図（ａ）は連続紙の暗記カード紙と補強材の穴に紐を通し、台紙兼補強材を結んだ斜視図、（図ｂ）は暗記カード紙の１枚目の結束部を指で押さえながら紐を引っ張ると、暗記カード束にするという斜視図である。
【図１９】図（ａ）は暗記カード紙に、折り込み線を付けるときに用いる角筒形直方体の斜視図、図（ｂ）は直方体を押し潰した状態の斜視図である。
【図２０】図（ａ）は暗記カード紙を直方体に巻き付ける状態の斜視図、図（ｂ）は直方体に巻き付けた暗記カード紙の縦長方向の両端を重ね合わせた斜視図である。
【図２１】図（ａ）は暗記カード紙を、縦長方向の中央から山折りに折った平面図、図（ｂ）は山折りした縁辺を谷折りして暗記カードにしてカード束にする状態の斜視図、図（ｃ）は角筒形直方体に暗記カード紙を巻き付けて止着した状態の斜視図である。
【図２２】図（ａ）は角筒形直方体の斜視図、図（ｂ）は、その直方体を押し潰す状態の斜視図、図（ｃ）は直方体を潰した状態の斜視図、図（ｃ）・（ｄ）は直方体を押し潰す行程の説明図である。
【図２３】図（ａ）はＬＲカードの問題集で、問題がカードの左枠に解答がカードの右枠に表示されている斜視図、図（ｂ）は山折りと谷折りに折り畳んで結束部を結束する状態の斜視図である。
【図２４】図（ａ）はＵＤカードの問題集で、問題がカードの上枠に解答がカードの下枠に表示されている斜視図、図（ｂ）は、山折りに折り曲げる縁辺を谷折りに折込んでカード束にする状態の斜視図である。
【図２５】図(ａ)はＵＤカードの問題集の１枚を綴じ代部より取り出し、上下に開いた状態の平面図、図（ｂ）は、縦長の中央を山折りに折り曲げた平面図、図（ｃ）は図（ｂ）から山折りした縁辺を谷折りして折り畳み、暗記カード紙をカード束にする状態の斜視図である。
【図２６】図(ａ)は問題集をカード形式で学習する場合の斜視図である。
【図２７】図(ａ)は綴じ代部で束ねられたカード束を１穴パンチで穴を開けて束ねられたものを、カードホルダーに差し込む状態の斜視図、図（ｂ）は綴じ代部で束ねられたカード束を２穴パンチ穴に束ねられたものを、カードホルダーに差し込む状態の斜視図である。
【図２８】図(ａ)は問題を左枠に解答を右枠に書き込むためのＬＲカードのノート又はメモ帳形式にした斜視図、図（ｂ）は、問題を上枠に解答を下枠に書き込む為のＵＤカードのノート又はメモ帳形式にした斜視図である。
【図２９】図(ａ)はＬＲカードのノート又はメモ超形式にしたものを背表紙側から見た斜視図で、右方向に向かって、問題を左枠に解答を右枠に書き込む状態を示した斜視図、図（ｂ）はＵＤカードのノート又はメモ帳形式にしたものを背表紙側から見て、問題を上枠に解答を下枠に書き込むための斜視図である。
【図３０】図(ａ)はＵＤカードのノート又はメモ帳形式にしたものの綴じ代部を１穴パンチで穴を明けた各ノート又は各メモ帳形式にしたものをカードホルダーに差し込んで束ねる状態の斜視図、図（ｂ）は綴じ代部で束ねられたものを、カードホルダーに差し込んで束ねる状態の斜視図である。
【図３１】図(ａ)はパンチで穴を明けて用いる状差しの斜視図、図（ｂ）は問題と解答を書き込み、細い挿し棒に挿した状態の斜視図である。
【図３２】図(ａ)は栞に紐で結んだ暗記カードを、本やノートに差し込んだ状態の斜視図である。
【図３３】ＬＲ式の暗記カード紙で、左枠に問題を、右枠に解答を印刷したものを問題集から１枚を取り出した平面図である。
【発明を実施するための形態】
【００２３】
本願において、暗記カードは特定のサイズに限らず、小さいものは約８０ｍｍ×約５０ｍｍの手のひらサイズ、大きいものは約２１０ｍｍ×約１５０ｍｍ程度の情報カードサイズを含む。
上記の暗記カードを作成するカード用紙は、１枚１枚が切り離されているので、そのままの状態で暗記カード紙として用いる。
通常は、Ａ５判（１４８ｍｍ×２１０ｍｍ）、Ａ４判（２１０ｍｍ×２９７ｍｍ）、最も大きいものはＡ３判（２９７ｍｍ×４２０ｍｍ）、のコピー用紙またはカラーペーパーを用いるものとする。
【００２４】
また、連続紙やロール紙及び折り畳み紙を用いる場合は、必要枚数を調べ、結束部同士が連続している所の中央線で切り離してカード用紙を作成する。
【００２５】
カード紙やＡ４サイズのカード紙やＡ５サイズのカード紙及びその他の用紙形式になっているものは、通常、１枚１枚が切り離されているので、そのままの状態でカード紙として用いる。カード紙に問題と解答を書き終えたら、カード紙をそれぞれの方法でカード束にして、暗記の繰り返しをする。メモ帳やノートは、カード紙の結束部が綴じられた状態なので、カード紙に問題と解答を書き終えたら、カード紙をそれぞれの方法でカード束にして、暗記の繰り返しをする。
【００２６】
本発明において、問題集や本形式のものは、前もって印刷されている問題と解答を見比べながら、解答をなぞる。そして、ある程度、覚えたら、カード形式にして暗記を繰り返し、覚えていないものは、カード形式にせず、問題と解答を同一紙面上に表示した状態で、問題と解答の確認にとどめて置き、覚えたものと覚えていないものとの区分けとして用いる。
【実施例】
【００２７】
次に、本発明の実施例を図面に即して説明する。
図１の（ａ）は、ＵＤカード作成方式の暗記カード用紙４であり、縦長で無地のカード用紙１に上から問題ｍと解答ｋの順で表示される２題で１セットが２セット１枚となるもので、四角い問題枠１５に問題ｍを書き込むか、又はあらかじめ印刷等で表示し、その下の四角い解答枠１６に解答ｋを書き込むか、又はあらかじめ印刷等で表示した状態を示す。
ここでＵＤとは、Up and Down(上下)の略語で、問題と解答の位置関係を表すことを意味する。
また、図１の（ｂ）は、ＬＲカード作成方式の暗記カード用紙４で、横長で無地のカード用紙１に左から問題ｍと解答ｋの順で表示される２題で１セットが２セット１枚となるもので、問題枠１５に問題ｍを書き込むか、又はあらかじめ印刷等で表示し、その横の解答枠１６に解答ｋを書き込むようにした状態を示す。ここでＬＲとは、Left and Right(左右)の略語で、問題と解答の位置関係を表すことを意味する。
【００２８】
図２の（ａ）〜（ｃ）は、表面の問題枠１５と解答枠１６が裏面にも印刷等で表示されているカード作成方式の暗記カード用紙４であり、最初に、図１のカード用紙１の縦長の中間を二つ折り線６２に沿って折り目を付けて山折りにする。次に、問題枠１５と解答枠１６の境目になる山折り線６１を山折りに折り目を付ける。
【００２９】
図３の（ａ）〜（ｃ）は、ＵＤカード作成方式の暗記カード紙４であり、図（ａ）は解答枠１６と問題枠１５の境となる中間の二つ折り線６２を最初山折りしておく。図（ｂ）は問題枠１５と解答枠１６との境目になる山折り線６１を山折りする。そして、図（ｃ）は二つ折り線６２を谷折りして当該二つ折り線６２を結束部８の方向に略Ｗ字形（結束部８側から見て略Ｍ字形）に押し込むように折り畳んでその二つ折り線６２の縁辺が結束部８には届かず、その手前に位置するように設定した状態を示す。これは、後に束ねて結束したときに上下の山折り線６１・６１の部分を上下（ＵＤ）に開いて谷折りされている二つ折り線６２の部分を山折りにして図ａのように引き出せるようにするためである。
【００３０】
図４は、ＵＤカード作成方式の暗記カード紙４であり、２つのカード束１４の結束部８を上下に重ねた図（ａ）と、余白部を重ねた結束部８をスライドクリップcで束ねた一部を示す図（ｂ）と、その暗記カードを作成する手順を示す図（ｃ）及び図（ｄ）を示す。図（ｃ）の状態で山折りになっている二つ折り線６２を左方向に押し込むと、その二つ折り線６２が谷折りとなって図（ｄ）のように折り畳まれる。このとき、谷折りされている二つ折り線６２の先端縁辺は横帯状の結束部８に届かないで、その手前に位置するように設定されている。
【００３１】
図５の（ａ）は、表面の問題枠１５と解答枠１６が裏面にも表示されているＵＤカード作成方式の暗記カード紙４の連続紙であり、図ｂは、裏面にも表面と同じ問題枠と解答枠が表示されている暗記カード紙４を作成するためのロール紙の斜視図である。
【００３２】
図６の（ａ）は、ＵＤカード作成方式の暗記カード紙４の連続紙又はロール紙を用いて、問題ｍと解答ｋが各１０枚で、これを山折りと谷折りに折り畳んで、図（ｂ）のように１束にする状態を示してある。この場合においても、谷折りされた二つ折り線６２の先端縁辺は横帯状の結束部８に届かない手前に位置するように設定されている。
【００３３】
図７の（ａ）は、図１(ａ)に示すＵＤカード作成方式の暗記カード紙４が２枚分となり、その基端の結束部同士が結合して縦長に連続し、２題１セットの問題枠１５と解答枠１６が４セットとなる場合を示し、２枚分の縦長全長の中間部位６３を谷折りし、図３（ａ）〜（ｃ）と同じような手順で山折り線６１を山折りし、中間の二つ折り線６２（図示では山折り）を谷折りして畳み込んで図４の要領でカード束１４にする。
【００３４】
図８は、ＵＤカード作成方式のＡ５サイズすなわち約２１０ｍｍ×約１５０ｍｍ程度の情報カード紙５と呼ばれるものであり、問題ｍを書き込む問題枠１５と、解答ｋを書き込む解答枠１６が２セットで１枚の暗記カード紙４となるものである。問題と解答の書き方やカード束作成法は、暗記カード紙４と同じとなる。
【００３５】
図９は、Ａ５サイズのカード用紙１に左利き用仕様のＵＤカード作成方式にした暗記カード紙４であり、その暗記カード紙４を左右一対に設け、左右の境界線にミシン目状の切込み線ｍｌを表示し、その切込み線の延長線上の非切込み余白１８・１９を折曲げ部とする。
ここで左利き仕様とは、縦長用紙の左側の上に問題枠１５が、その下に解答枠１６がそれぞれ表示されている。また、右側の上に解答枠１６が、その下に問題枠１５がそれぞれ表示されている。そして、右手指で暗記カード紙４の余白部近くの半楕円の指押し用マーク２２を押さえて左手で筆記することを指す。また、当該暗記カード紙４の裏面には表面と同じ問題枠と解答枠が表示されている。
【００３６】
図１０の（ａ）・（ｂ）は、図９と同様に左利き用仕様の暗記カード紙４であり、表面の問題ｍを書き込む問題枠１５と解答ｋを書き込む解答枠１６と同じ枠１５・１６が表示されているＡ５サイズのＵＤカード作成方式の暗記カード紙４であり、その縦長中間の二つ折り線６２を山折りに曲げたものを示す。
【００３７】
図１１の（ａ）は、Ａ５サイズの暗記カード紙４の縦長中間の二つ折り線６２を山折りに折り曲げた後に、（ｂ）のように左右の境目の切込み線ｍｌを当該切込みの延長線上の余白部１８・１９が残るようにして切り込んで左右の暗記カード紙４の切り離し部７を示している。切り離した暗記カード紙の非切込み余白部１８・１９を切込み線ｍｌに沿って問題枠１５が表面に、解答枠１６が裏面に表示されるように折り曲げる。
【００３８】
図１２は、図１１の暗記カード紙４を図４・図７と同じ要領で折り畳んだ後、切込み線ｍｌの延長線上の余白部１８・１９から二つに折り曲げて問題ｍが表面に、解答ｋが裏面にそれぞれ表示されるようにしてカード束１４にする前の状態を示している。
【００３９】
図１３は、図９と対照にＵＤカード作成紙３を用いた右利き仕様のＡ５サイズの暗記カード紙４であり、問題ｍを書き込む問題枠１５と解答ｋを書き込む解答枠１６が４セットで１組のカード束となるもので、問題ｍと解答ｋを書き終わったと仮定する状態を示す。
ここで右利き仕様用とは、縦長用紙の右側の上に問題枠１５が、その下に解答枠１６がそれぞれ表示されている。また、左側の上に解答枠１６が、その下に問題枠１５がそれぞれ表示されている。そして、左手指で暗記カード紙４の余白部近くの半楕円の指押し用マーク２２を押さえて左手で筆記することを指す。
なお、図９の左利き仕様と異なる点は、縦長用紙の左側の上に解答枠１６が、その下に問題枠１５がそれぞれ表示されている。また、右側の上に問題枠１６が、その下に解答枠１５がそれぞれ表示されているところである。
【００４０】
図１４は、ＵＤカード作成紙３を用いた左利き仕様のＡ４サイズの情報カード紙５であり、問題と解答が４セットで１枚となるもので、左右の境界線の切込み線ｍｌの左側に上から順番に問題枠１５と解答枠１６が、また、右側に上から解答枠１６と問題枠１５が表示されている。
【００４１】
図１５は、ＵＤカード作成紙３を用いた右利き仕様のＡ４サイズの情報カード紙５で、問題枠１５と解答枠１６が４セットで１枚となるもので、左右の境界線の切込み線ｍｌの左側に上から順番に解答枠１６と問題枠１５が、また、右側に上から問題枠１５と解答枠１６が表示されている。この右利き仕様の問題枠１５と解答枠１６は、図１４のＵＤカード作成紙３の裏面に表示されている。
ここで右利き仕様とは、横長用紙の上段の左に問題枠１５が、その下段に解答枠１６がそれぞれ表示されている。そして、左手指で暗記カード紙４の余白部近くの半楕円の指押し用マーク２２を押さえて右手で筆記することを指す。
【００４２】
図１６は、ＬＲカード作成紙２を用いた、右利き仕様のＡ４サイズの暗記カード紙４で、問題と解答が８セットで１枚となるもので、暗記カード紙を作成する手順は、ＵＤカード作成紙３の手順と略同じである。すなわち、最初に横長の中央の二つ折り線６２を山折りしておき、切込み線ｍｌに沿って左右の余白部１８・１９を残して切込みを入れ、山折り線６１を山折りし、二つ折り線６２を谷折りした後、非切込み余白部１８・１９を切込み線ｍｌに沿って二つ折りして問題枠１５が表面に、解答枠１６が裏面に表示されるように折り込む。
ここでＬＲカード作成紙のＬＲは、Left and Right(左右)の略語で、問題と解答の位置関係を表す。
【００４３】
図１７は、図１６のＬＲカード作成紙２の裏面を示し、当該ＬＲカード作成紙２を用いた左利き仕様のＡ４サイズの暗記カード紙４で、問題と解答が８セットで１枚となるものである。
【００４４】
図１８の（ａ）は、Ａ３判の用紙を縦長に用いて連続した２枚の暗記カード紙４であり、その連続紙の暗記カード紙４と台紙を兼ねた補強材９にパンチで穴１０を明けた後、その穴に紐１１を通し、補強材９をその紐１１で結んだ状態と、暗記カード紙４の１枚目の結束部８を指で押さえながら紐１１を引っ張ると、（ｂ）の暗記カード束１４になるというものである。
【００４５】
図１９は、暗記カード紙４に、折込み線を付けるときに用いる図（ａ）で、四角い筒形の直方体ｔを斜め対角方向に広げて、図（ｂ）のように略平らにしたものを暗記カード紙４に挟みいれるために図（ｃ）のように、その暗記カード紙４を縦長の中央から半分に折ったものである。
【００４６】
図２０の（ａ）・（ｂ）は、暗記カード紙４に、折り込み線を付けるときにおける、図１９の続きで、結束部８と問題枠１５との仕切りとなる結束部線８′を指で折り目線を付けた後、結束部８を指で支えながら、直方体ｔを下向き方向に押し潰す状態と、略扁平にした後、２ヶ所ある折込み乃至押し戻すための二つ折り線６２を指で折り目線を付けるという状態を示す。
【００４７】
図２１の（ａ）は、暗記カード紙４を縦長の中間から半分に折ったものであり、（ｂ）は暗記カード紙４を折り畳んでカード束１４にしたものであり、（ｃ）は図２０の（ｂ）のように扁平の直方体ｔに巻き付けて結束部８をホチキス等で留めた後、扁平の直方体ｔを四角い箱状に形成して、問題ｍと解答ｋとが別個の面に表示できるようにしたものである。
これを使用するときは、例えば、問題枠１５に表示され、又は書き込まれた問題ｍに対し、その解答枠１６に表示され、又は書き込まれた解答ｋを見るには、四角い直方体ｔを９０度回転して確認する。
【００４８】
図２２の（ａ）は、中が空洞の四角い直方体ｔであり、（ｂ）はそれを持ち運ぶために、斜め対角方向に直方体ｔを潰し、これをさらに半分に折り畳んで扁平にした直方体ｔを示す。（ｃ）・（ｄ）は直方体ｔを（ｃ）のように形成する手順を示している。
【００４９】
図２３において、（ａ）はＬＲカードの問題集Ｔにあらかじめ印刷されている問題ｍがカードの左の問題枠１５に、同じく印刷されている解答ｋが右の解答枠１６に表示されている斜視図である。（ｂ）は、（ａ）では先端側の二つ折り線６２を山折りに折り曲げてある。
その二つ折り線６２を谷折りに折り曲げて内側に押し込み、問題ｍが表面に表示され、解答ｋが二つ折りした裏面（下面）側に表示されるカード状にしたもので、谷折りに折り込まれた二つ折り線６２の縁辺が結束部８には届かず、その手前に位置する寸法に設定されている状態を示す。これは、谷折り部の先端辺が結束部に接触せずに折り込むことが確実にできると共に、谷折りに折り込んだ状態を再度戻して山折り状態にできるようにするためである。
【００５０】
図２４において、（ａ）はＵＤカードの問題集で、暗記カード紙４にあらかじめ印刷されている問題ｍがカードの上側の問題枠１５に表示され、同じく印刷されている解答ｋがカードの下側の解答枠１６に表示されている。この状態で半楕円状のマーク２２を強く押しながら、先端辺の二つ折り線６２は山折り線６１を介して同図（ｂ）のように内方に向かって谷折りに折り曲げ、さらに内側に向けて押し込み、問題ｍが表面で解答ｋが裏面に表示されるカード状にしたもので、この左右の開きがスムーズになるように結束部８に問題枠１５と解答枠１６の境界線となる二つ折り線６２の谷折り縁辺が届かない寸法に設定されている。
【００５１】
図２５の(ａ)は、図２４のＵＤカードの問題集の１枚を綴じ代部より取り出し、上下に開いた状態を示す。（ｂ）及び（ｃ）は、縦長の中央から山折りに折り曲げ、谷折りに折り曲げる二つ折り線６２を半分に折り曲げた状態である。そして、（ｃ）は、（ｂ）の状態の問題集をカード束にしたとき、折り込みと押し戻しのための二つ折り線６２を指で折り目線をはっきりとつけるものであり、さらに、カード束１４にするとき、（ｃ）の二つ折り線６２の谷折り縁辺が結束部８に届かない寸法に設定されている。
【００５２】
図２６の（ａ）は、問題集をカード形式で学習する場合の状態であり、暗記カード紙４の問題ｍと解答ｋを同時に見ながら予習や復習をし、ある程度、覚えたらカード形式にして暗記の繰り返しをする。覚えたものでも、忘れてしまった場合は、問題ｍと解答ｋを同時に見ながら再復習した後、再度、カード形式にして知識として定着するまで暗記を繰り返すことを説明した状態を示し、（ｂ）は、カード形式にしたとき、折り込まれる側が、谷折りに曲げる二つ折り線６２の縁辺が余白部１７（結束部８に相当する）に届かない寸法に設定することを示している。
【００５３】
図２７の（ａ）は、ノート又はメモ帳形式にしたものであり、結束部８で束ねられたカード束１４を１穴パンチで穴１０を明け、ジャンル別に印刷された問題ごとに束ねられたものを、カードホルダーｈに差し込み、明いている穴１０をリングや紐１１で束ねて用いる方法を示したものである。（ｂ）は、綴じ代部１８（１９）で束ねられたカード束１４を２穴パンチで穴を開け、ジャンル別に印刷された問題ごとに束ねられたものを、カードホルダーｈに差し込み、２穴書類バインダーで各印刷物を綴じ、必要に応じて取り外して暗記に用いる方法を示した状態を示している。
【００５４】
図２８の（ａ）は、問題ｍを左の問題枠１５に、解答ｋを右の解答枠１６に書き込むためのＬＲカードのノート又はメモ帳形式にしたものを示している。（ｂ）は、問題ｍを上の問題枠１５に表示し、解答ｋをその下の解答枠１６に書き込むためのＵＤカードのノート又はメモ帳形式にしたものを示している。この状態からカード先端辺の二つ折り線６２を問題枠１５と解答枠１６の境界線上にある山折り線６１を介して谷折りして解答枠１６を内側方向に折り込み、表面の問題枠１５に対して解答枠１６がその裏面に位置するようになっている。
【００５５】
図２９の（ａ）は、ＵＤカードのノート又はメモ帳Ｍの形式にしたものを背表紙側から見た状態であって、問題ｍを上の問題枠１５に解答ｋを下の解答枠１６に書き込む状態を示している。（ｂ）は、ＬＲカードのノート又はメモ帳Ｍの形式にしたものを、背表紙側から見た状態を示す。図内の矢印は右方向に向かって、問題ｍを左の問題枠１５に、解答ｋを右側の解答枠１６にそれぞれ書き込むという状態を示している。
そして、この状態からカード先端辺の二つ折り線６２を問題枠１５と解答枠１６の境界線上にある山折り線６１を介して谷折りして解答枠１６を内側（矢印→）方向に折り込み、表面の問題枠１５に対して解答枠１６がその裏面に位置するようになっている。
【００５６】
図３０の（ａ）は、ＵＤカードのノート又はメモ帳Ｍの形式にしたものを、綴じ代部を１穴パンチで穴を明けた各ノート又は各メモ帳を、カードホルダーｈに差し込み、明けてある穴１０をリングや紐１１で束ねて用いることを示している。（ｂ）は、綴じ代部で束ねられたカード束１４を２穴パンチで穴１０を明けた各ノート又は各メモ帳形式にしたものを、被冠形のカードホルダーｈに差し込み、２穴書類バインダーｂで綴じたものを、必要に応じて取り外して用いることができるようにしたものを示す。
【００５７】
図３１の図（ａ）は、暗記カード紙４に穴明けパンチで穴１０を明けて用いる状差し２０である。図（ｂ）は、問題枠１５に問題ｍを書き込み、解答枠１６に解答ｋを書き込み、暗記を繰り返し、知識として定着した暗記カード紙４に、図１の状差し２０に付加されたパンチ穴を明ける機能を持った蓋２０２で、暗記カード紙４が離れないように状挿し針棒２０１に挿し、日付順に保管し、必要に応じて定着度把握のために用いられる。
【００５８】
図３２の（ａ）は、暗記カード紙４と台紙の栞２３を穴明けパンチで穴１０を明け、紐１１で結んだ状態のものの中に、栞の先端部を矢印のように内側に折り曲げて入れるという状態であり、（ｂ）は、暗記カード４との穴１０に紐１１を通して栞２３に結んだ状態であり、本や参考書又はノートＮから書き写した所に栞を差し込むという状態を示す。
【００５９】
図３３は、ＬＲ式の暗記カード紙４であり、左枠に問題ｍを、右枠に解答ｋを印刷したものを問題集から１枚を取り出したものであり、右枠には、解答を鉛筆や簡単に消せる筆記具でなぞれるようにしてある。また、なぞった実行年月日を書き込むようにもなっている。
【産業上の利用可能性】
【００６０】
本発明の方式で作成された出版物は今までなかったものであるから、先ず、暗記に特化した問題集がこの方式を用いて出版されるようになる。例えば、英単語集や英熟語集、漢字テスト集や一問一答形式の出版物は、正に当発明の暗記カードや情報カード形式を応用したもので出版されるようになる。また、Ａ５サイズ、又は、Ａ４サイズの暗記カードや情報カード形式の用紙は、大量にコピーできるので、個人だけでなく、学校や塾でも使うようになる。また、より効率的に暗記を繰り返す為に、覚えたい本のページと覚えるために作成したカード束を、本の間に挟んで栞としても使える。また、ＵＤカード作成方式の暗記カード紙は、ポケットティッシュサイズになるので、結束部を広告に使用することができる。学校や塾や駅の前で配れば、抜群の宣伝効果が望める。将来的には、問題集や本は、学ぶ側に立った問題集や本でなければならない。どんなに良い問題集や参考書でも、学ぶ人達が覚えられない、覚えないというものは消えて行く、消えて行かねばならない。そういう意味でも、本発明は現行の出版物の補助教材として用いられ、本発明が組み込まれた出版物となる可能性が大いに有る。
【符号の説明】
【００６１】
１…カード用紙
２…ＬＲカード作成紙
３…ＵＤカード作成紙
４…暗記カード紙
５…情報カード紙
６…折曲げ線
７…切離し部
８…カードの結束部
９…カード補強材
１０…パンチの穴
１１…紐
１２…補強材の穴
１３…横罫線
１４…カード束
１５…問題枠
１６…解答枠
１７…カードの端部全体の余白部
１８…切込み線上の非切込み余白部
１９…切込み線上の非切込み余白部
２０…状差し
２１…栞
２２…指押し用マーク
ｈ…ホルダー
ｍ…問題
ｋ…解答
ｍｌ…切込み線
【図１】
2019137030.tif 000003
【図２】
2019137030.tif 000004
【図３】
2019137030.tif 000005
【図４】
2019137030.tif 000006
【図５】
2019137030.tif 000007
【図６】
2019137030.tif 000008
【図７】
2019137030.tif 000009
【図８】
2019137030.tif 000010
【図９】
2019137030.tif 000011
【図１０】
2019137030.tif 000012
【図１１】
2019137030.tif 000013
【図１２】
2019137030.tif 000014
【図１３】
2019137030.tif 000015
【図１４】
2019137030.tif 000016
【図１５】
2019137030.tif 000017
【図１６】
2019137030.tif 000018
【図１７】
2019137030.tif 000019
【図１８】
2019137030.tif 000020
【図１９】
2019137030.tif 000021
【図２０】
2019137030.tif 000022
【図２１】
2019137030.tif 000023
【図２２】
2019137030.tif 000024
【図２３】
2019137030.tif 000025
【図２４】
2019137030.tif 000026
【図２５】
2019137030.tif 000027
【図２６】
2019137030.tif 000028
【図２７】
2019137030.tif 000029
【図２８】
2019137030.tif 000030
【図２９】
2019137030.tif 000031
【図３０】
2019137030.tif 000032
【図３１】
2019137030.tif 000033
【図３２】
2019137030.tif 000034
【図３３】
2019137030.tif 000035
【手続補正書】
【提出日】平成30年9月7日(2018.9.7)
【手続補正１】
【補正対象書類名】特許請求の範囲
【補正対象項目名】全文
【補正方法】変更
【補正の内容】
【特許請求の範囲】
【請求項１】
縦長のカード用紙（１）の上側に問題（ｍ）を書き込むか又はあらかじめ表示してある第１の問題枠（１５）と、その下側に解答（ｋ）を書き込むか又は予め表示してある第１の解答枠（１６）と、その下側に問題（ｍ）を書き込むか又は予め表示してある第２の問題枠（１５）と、その下側に解答（ｋ）を書き込むか又は予め表示してある第２の解答枠（１６）とを、この順に表示した４つの枠（１５）・（１６）・（１５）・（１６）を１セットとして暗記カード紙（４）とし、当該暗記カード紙（４）の縦長方向の中間に二つ折り線（６２）を表示すると共に各問題枠（１５）と解答枠（１６）の境界に山折り線（６１）を表示し、二つ折り線（６２）の部位を山折りしてその両基端に設けた余白部（１７）・（１７）を重ねて結束部（８）・（８）とし、山折り線（６１）を山折りすると共に、山折りしてある二つ折り線（６２）の部位を内側になるように谷折りし、谷折りした二つ折り線（６２）の縁辺が結束部（８）・（８）に届かないように設定し、問題（ｍ）が山折りした表面に表示され、解答（ｋ）が山折りした裏面に表示されるようにしたことを特徴とする暗記カード作成紙又は暗記カード。
【請求項２】
横長のカード用紙（１）の左側に問題（ｍ）を書き込むか又はあらかじめ表示してある第１の問題枠（１５）と、その右側に解答（ｋ）を書き込むか又はあらかじめ表示してある第１の解答枠（１６）と、その右側に問題（ｍ）を書き込むか又は予め表示してある第２の問題枠（１５）と、その右側に解答（ｋ）を書き込むか又は予め表示してある第２の解答枠（１６）とを、この順に表示した４つの枠（１５）・（１６）・（１５）・（１６）を１セットとして暗記カード紙（４）とし、当該暗記カード紙（４）の横長方向の中間に二つ折り線（６２）を表示し、且つ問題枠（１５）と解答枠（１６）の境界に山折り線（６１）を表示し、二つ折り線（６２）の部位を山折りしてその両基端に設けた余白部（１７）・（１７）を重ねて結束部（８）・（８）とし、山折り線（６１）を山折りするときに、山折りしてある二つ折り線（６２）の部位を内側になるように谷折りし、谷折りした二つ折り線（６２）の縁辺が結束部（８）・（８）に届かないように設定し、問題（ｍ）が山折りした表面に表示され、解答（ｋ）が山折りした裏面に表示されるようにしたことを特徴とする暗記カード作成紙又は暗記カード。
【請求項３】
同一紙面の表面と裏面に問題（ｍ）を書き込むか又は予め問題（ｍ）を表示してある問題枠（１５）と、解答（ｋ）を書き込むか又は予め解答（ｋ）が表示してある解答枠（１６）の４つの枠（１５）・（１６）・（１５）・（１６）が表示されている請求項１又は請求項２記載の暗記カード作成紙又は暗記カード。
【請求項４】
同一紙面の表面と裏面に問題（ｍ）を書き込むか又は予め問題を表示してある問題枠（１５）と、解答を書き込むか予め解答が表示してある解答枠（１６）が表示されている縦長のカード用紙（１）に左右で一対の暗記カード紙（４）・（４）を表示し、その暗記カード紙（４）の横幅方向の中間に両基端の結束部（８）・（８）となる非切込み余白部（１８）・（１９）を残して切込み線（ｍｌ）を表示し、その切込み線（ｍｌ）の延長線上の非切込み余白部（１８）・（１９）を折曲げ部とし、縦長の暗記カード紙（４）の縦方向中間の二つ折り線（６２）を山折りした後、当該切込み線（ｍｌ）に切り込みを入れると共に非切込み余白部（１８）・（１９）を切込み線上に沿って二つ折りして２枚一対の暗記カード紙（４）・（４）を形成するようにした請求項１記載の暗記カード作成紙又は暗記カード。
【請求項５】
同一紙面の表面と裏面に問題（ｍ）を書き込むか又は予め問題が表示されている問題枠（１５）と、解答を書き込むか予め解答が表示されている解答枠（１６）の４つの枠からなる横長の暗記カード紙（４）を上下方向の４段に表示し、その暗記カード紙（４）の上下段の境界に左右両基端の非切込み余白部（１８）・（１９）を残して切込み線（ｍｌ）を表示し、その切込み線（ｍｌ）の延長線上における両基端の非切込み余白部（１８）・（１９）を折曲げ部とし、暗記カード紙（４）における横方向の中間の二つ折り線（６２）を山折りした後、当該切込み線（ｍｌ）に切り込みを入れると共に余白部（１７）・（１７）を重ねて結束部（８）・（８）とし、横長のカード紙（４）の二つ折り線（６２）を山折りした後、非切込み余白部（１８）、（１９）を切込み線上に沿って上下段方向に山折り、谷折り、山折りの順に三つに折り畳んで結束部（８）・（８）を止着した請求項２記載の暗記カード作成紙又は暗記カード。
【請求項６】
カード用紙（１）を縦長方向に連続して暗記カード紙（４）を形成した請求項１又は請求項３記載の暗記カード作成紙又は暗記カード。
【請求項７】
請求項１記載の暗記カード紙（４）を直方体（ｔ）の各面に巻き付けて縦方向の両基端部の余白部（１７）・（１７）を重ねた結束部（８）・（８）を止着したことを特徴とする暗記体。
【請求項８】
複数枚の暗記カード紙（４）を縦長の中央から２つ折りして重ねた両基端の余白部（１７）・（１７）を重ねて結束部（８）・（８）とした請求項１又は請求項４記載の暗記カード作成紙又は暗記カード。
【請求項９】
複数枚の暗記カード紙（４）を縦長方向の中央から２つ折りして重ねた両基端の余白部（１７）・（１７）を重ねて結束部（８）・（８）とすると共に、当該結束部（８）・（８）に穴（１０）をあけ、結束部（８）・（８）に被冠形のホルダー（ｈ）を被せて綴じ部材（１１）で綴じるようにした請求項１又は請求項４記載の暗記カード。
【請求項１０】
横長方向の中間から二つ折りしてノート又は問題集又は簡易製本にするサイズにした複数枚の暗記カード紙（４）を横長方向の中央から二つ折りして重ねた両基端の余白部（１７）・（１７）を重ねて結束部（８）・（８）とした請求項２ないし請求項５記載の暗記カード。
【請求項１１】
横長のカード用紙（１）の左側の問題枠（１５）に問題（ｍ）を、右側の解答枠（１６）に解答（ｋ）を印刷した問題集（Ｔ）であって、解答枠（１６）に解答（ｋ）を鉛筆や容易に消せる筆記具でなぞれるように表示した請求項２又は請求項５記載の暗記カード作成紙又は暗記カード。
【手続補正２】
【補正対象書類名】明細書
【補正対象項目名】０００９
【補正方法】変更
【補正の内容】
【０００９】
本発明の第１は、暗記カード作成紙又は暗記カードにおいて、縦長のカード用紙の上側に問題を書き込むか又はあらかじめ表示してある第１の問題枠と、その下側に解答を書き込むか又はあらかじめ表示してある第１の解答枠と、その下側に問題を書き込むか又は予め表示してある第２の問題枠と、その下側に解答を書き込むか又は予め表示してある第２の解答枠とを、この順に表示した４つの枠を１セットとして暗記カード紙とし、当該暗記カード紙の縦長方向の中間に二つ折り線を表示し、且つ問題枠と解答枠の境界に山折り線を表示し、二つ折り線の部位を山折りしてその両基端に設けた余白部を重ねて結束部とし、山折り線を山折りすると共に、山折りしてある二つ折り線の部位を内側になるように谷折りし、谷折りした二つ折り線の縁辺が結束部に届かないように設定し、問題（ｍ）が山折りした表面に表示され、解答が山折りした裏面に表示されるようにしたものである。
【手続補正３】
【補正対象書類名】明細書
【補正対象項目名】００１０
【補正方法】変更
【補正の内容】
【００１０】
本発明の第２は、暗記カード作成紙又は暗記カードにおいて、横長のカード用紙の左側に問題を書き込むか又はあらかじめ表示してある第１の問題枠と、その右側に解答を書き込むか又は予め表示してある第１の解答枠と、その右側に問題を書き込むか又は予め表示してある第２の問題枠と、その右側に解答を書き込む又は予め表示してある第２の解答枠とを、この順に表示した４つの枠を１セットとして暗記カード紙とし、当該暗記カード紙の横長方向の中間に二つ折り線を表示すると共に、各問題枠と解答枠の境界に山折り線を表示し、二つ折り線の部位を山折りしてその左右両基端に設けた余白部を重ねて結束部とし、山折り線を山折りすると共に、山折りしてある二つ折り線の部位を内側になるように谷折りし、谷折りした二つ折り線の縁辺が結束部に届かないように設定し、問題が山折りした表面に表示され、解答が山折りした裏面に表示されるようにしたものである。
【手続補正４】
【補正対象書類名】明細書
【補正対象項目名】００２２
【補正方法】変更
【補正の内容】
【００２２】
【図１】ＵＤカード作成方式の暗記カード用紙で、表面の問題枠１５と解答枠１６の４枠が裏面にも印刷等で表示されていて、図（ａ）は表面の４つの枠で１セットとし、縦長のカード用紙に上から第１の問題ｍと解答ｋ、第２の問題ｍと解答ｋとが、この順で書き込むか表示する平面図、図(ｂ)は問題枠と解答枠が合計４つの枠で１セットとし、横長のカード紙に左から問題ｍと解答kを書き込む状態を示す平面図である。
【図２】カード作成方式の暗記カード用紙で、図(ａ)と(ｂ)は、表面の問題枠１５と解答枠１６が裏面にも印刷等で表示されていて、縦長の中間から二つ折りした状態を示す。
【図３】ＵＤカード作成方式のカード用紙であり、縦長の中間から二つ折りした図(ａ)山折り線から山折りした図(ｂ)、二つ折り線を略Ｗ字形に谷折りして暗記カードを作成した図(ｃ)である。
【図４】ＵＤカード作成方式の暗記カード紙で、２つのカード束の結束部を重ねた図(ａ)と、余白部を重ねた結束部をスライドクリップで束ねた一部を示す図(ｂ)と、その暗記カードを作成する手順を示す図(ｃ)及び図(ｄ)を示す。
【図５】図(ａ)は、ＵＤカード作成方式の暗記カード紙の連続紙であり、図(ｂ)は、暗記カード紙を作成するためのロール紙の斜視図である。
【図６】図(ａ)は、ＵＤカード作成方式の暗記カード紙の連続紙を用いて問題と解答が複数枚で、１束にする方法を示す図(ｂ)である。
【図７】ＵＤカード作成方式の暗記カード紙が２枚連綴で、問題と解答が各４枚となる場合の半分に折り畳むと同時に、指で折り目を付けるのを解説した図である。その後は図４と同じ方法でカード束にする。
【図８】ＵＤカード作成方式の情報カード紙で、問題枠と解答枠を４つの枠で１セットにして１枚の暗記カード式となる図である。
【図９】左利き仕様のＡ５サイズのＵＤカード作成方式の暗記カード紙で、左上から問題と解答が、右上から解答と問題が４セットで１枚のカード束となるもので、問題と解答の順に書き込む状態又は表示する状態の平面図である。
【図１０】Ａ５サイズのＵＤカード作成方式の暗記カード紙の縦長方向の中央を二つ折りする図である。
【図１１】Ａ５サイズのＵＤカード作成方式の暗記カード紙の縦長方向の中央を二つ折りした後、横幅方向の中問の切込み線から切り離した状態である。
【図１２】図(ａ)はＡ５サイズのＵＤカード作成方式の暗記カード紙の余白部を図１の矢印方向に折り畳んで重ねた状態の平面図、図(ｂ)は図１の暗記カード紙を重ねてカード束にする状態の斜視図である。
【図１３】右利き仕様のＡ５サイズのＵＤカード作成方式の暗記カード紙で、左上から解答と問題が、右上から問題枠と解答枠が４つの枠で１セットのものを２セットで１枚のカード束となるもので、問題と解答の順に書き込む状態又は表示する状態の平面図である。
【図１４】ＵＤカード作成紙を用いた左手仕様のＡ４サイズの情報カード紙で、問題と解答が４つの枠で１セットになるものを２セットで１枚のカード束となる平面図である。
【図１５】ＵＤカード作成紙を用いた右手仕様のＡ４サイズの情報カード紙で、問題枠と解答枠が４つの枠で１セットになるものを２セットで１枚のカード束となる平面図である。
【図１６】右手仕様のＡ４サイズのカード用紙に４つの枠で１セットになる暗記カード紙を４セットで１枚のカード束となる平面図である。
【図１７】図１６のＬＲカード作成紙２の裏面を示し、当該ＬＲカード作成紙を用いた左手仕様のＡ４サイズのカード用紙に４つの枠で１セットになる暗記カード紙を４セットで１枚のカード束となる平面図である。
【図１８】図(a)は連続紙の暗記カード紙と補強材の穴に紐を通し、台紙兼補強材を結んだ斜視図、図（ｂ)は暗記カード紙の１枚目の結束部を指で押さえながら紐を引っ張ると、暗記カード束になるという斜視図である。
【図１９】図(a)は暗記カード紙に、折り込み線を付けるときに用いる角筒形直方体の斜視図、図(ｂ)は直方体を押し潰した状態の斜視図である。
【図２０】図(ａ)は暗記カード紙を直方体に巻き付ける状態の斜視図、図(ｂ)は直方体に巻き付けた暗記カード紙の縦長方向の両端を重ね合わせた斜視図である。
【図２１】図(ａ)は暗記カード紙を、縦長方向の中央から山折りに折った平面図、(ｂ)は山折りした縁辺を谷折りして暗記カードにしてカード束にする状態の斜視図、図(ｃ)は角筒形直方体に暗記カード紙を巻き付けて止着した状態の斜視図である。
【図２２】図(ａ)は角筒形直方体の斜視図、図(ｂ)は、その直方体を押し潰す状態の斜視図、図(ｃ)は直方体を潰した状態の斜視図、図(ｃ)・(ｄ)は直方体を押し潰す行程の説明図である。
【図２３】図(ａ)はＬＲカードの問題集で、問題がカードの左枠に解答がカードの右枠に表示されている斜視図、図(ｂ)は山折りと谷折りに折り畳んで結束部を結束する状態の斜視図である。
【図２４】図(ａ)はＵＤカードの問題集で、問題がカードの上枠に解答がカードの下枠に表示されている斜視図、図(ｂ)は、山折りに折り曲げる縁辺を谷折りに折込んで力ード束にする状態の斜視図である。
【図２５】図(ａ)はＵＤカードの問題集の１枚を綴じ代部より取り出し、上下に開いた状態の平面図、図(ｂ)は、縦長の中央を山折りに折り曲げた平面図、図(ｃ)は(ｂ)から山折りした縁辺を谷折りして折り畳み、暗記カード紙をカード束にする状態の斜視図である。
【図２６】図(ａ)は問題集をカード形式で学習する場合の斜視図である。
【図２７】図(ａ)は綴じ代部で束ねられたカード束を１穴パンチで穴を開けて束ねられたものを、カードホルダーに差し込む状態の斜視図、図(ｂ)は綴じ代部で束ねられたカード束を２穴パンチ穴に束ねられたものを、カードホルダーに差し込む状態の斜視図である。
【図２８】図(ａ)は問題を左枠に解答を右枠に書き込むためのＬＲカードのノート又はメモ帳形式にした斜視図、図(ｂ)は、問題を上枠に解答を下枠に書き込む為のＵＤカードのノート又はメモ帳形式にした斜視図である。
【図２９】図(a)はＬＲカードのノート又はメモ帳形式にしたものを背表紙側から見た斜視図で、右方向に向かって、問題を左枠に解答を右枠に書き込む状態を示した斜視図、図(ｂ)はＵＤカードのノート又はメモ帳形式にしたものを背表紙側から見て、問題を上枠に解答を下枠に書き込むための斜視図である。
【図３０】図(ａ)はＵＤカードのノート又はメモ帳形式にしたものの綴じ代部を１穴パンチで穴を明けた各 又は各メモ帳形式にしたものをカードホルダーに差し込んで束ねる状態の斜視図、図(ｂ)は綴じ代部で束ねられたものを、カードホルダーに差し込んで束ねる状態の斜視図である。
【図３１】図(ａ)はパンチで穴を明けて用いる状差しの斜視図、図(ｂ)は問題と解答を書き込み、細い挿し棒に挿した状態の斜視図である。
【図３２】図(ａ)は栞に紐で結んだ暗記カードを、本やノートに差し込んだ状態の斜視図である。
【図３３】ＬＲ式の暗記カード紙で、左枠に問題を、右枠に解答を印刷したものを問題集から１枚を取り出した平面図である。
【手続補正５】
【補正対象書類名】明細書
【補正対象項目名】００２７
【補正方法】変更
【補正の内容】
【００２７】
次に、本発明の実施例を図面に即して説明する。
図１の（ａ）はＵＤカード作成方式の暗記カード紙４であり、縦長で無地のカード用紙１に上から第１の問題ｍと第１の解答、第２の問題ｍと第２の解答ｋの順で表示される４つの枠で１枚となるもので、四角い問題枠１５に問題ｍを書き込むか、又はあらかじめ印刷等で表示し、その下の四角い解答枠１６に解答を書き込むか、又はあらかじめ印刷等で表示した状態を示す。
ここで、ＵＤとは、Up and Down（上下）の略語で、問題と解答の位置関係を表すことを意味する。
また、図１の（ｂ）は、ＬＲカード作成方式の暗記カード紙４であり、横長で無地のカード用紙１に左から第１の問題ｍと第１の解答、第２の問題ｍと第２の解答ｋの順で表示される４つの枠で１枚となるもので、問題枠１５に問題ｍを書き込むか、又はあらかじめ印刷等で表示し、その横の解答枠１６に解答ｋを書き込むようにした状態を示す。ここでＬＲとは、Left and Right（左右）の略語で、問題と解答の位置関係を表すことを意味する。
【手続補正６】
【補正対象書類名】明細書
【補正対象項目名】００３０
【補正方法】変更
【補正の内容】
【００３０】
図４は、ＵＤカード作成方式の暗記カード紙４であり、２つのカード束１４の結束部８・８を上下に重ねた図（ａ）と、当該暗記カード紙の両基端の余白部１７．１７を重ねてなる結束部８・８をスライドクリップｃで束ねた一部を示す図（ｂ）と、その暗記カードを作成する手順を示す図（ｃ）及び図（ｄ）を示す。図（ｃ）の状態で山折りになっている二つ折り線６２を左方向に押し込むと、その二つ折り線６２が谷折りとなって図（ｄ）のように折り畳まれる。このとき、谷折りされている二つ折り線６２の先端縁辺は横帯状の結束部８・８に届かないで。その手前に位置するように設定されている。
【手続補正７】
【補正対象書類名】明細書
【補正対象項目名】００４２
【補正方法】変更
【補正の内容】
【００４２】
図１６は、ＬＲカード作成紙２を用いた、右利き仕様のＡ４サイズの暗記カード紙４で、左側から第１の問題ｍと第１の解答ｋ、第２の問題ｍと第２の解答ｋとを、この順で４つ枠１５・１６・１５・１６を表示して１枚となるもので、暗記カード紙を作成する手順は、上記のＵＤカード作成紙３の手順と略同じである。すなわち、最初に横長中央の二つ折り線６２を山折りしておき、切込み線ｍｌに沿って左右の余白部１８・１９を残して切込みを入れ、山折り線６１を山折りし、二つ折り線６２を谷折りした後、非切込み余白部１８・１９を切込み線ｍｌに沿って二つ折りして問題枠１５が表面に、解答枠１６が裏面に表示されるように切り込むものである。
ここで、ＬＲカード作成紙のＬＲは、Left and Right（左右）の略語で、問題と解答の位置関係を表す。
【手続補正８】
【補正対象書類名】明細書
【補正対象項目名】００４３
【補正方法】変更
【補正の内容】
【００４３】
図１７は、図１６のＬＲカード作成紙２の裏面を示し、当該ＬＲカード作成紙２を用いた左利き仕様のＡ４サイズの用紙に暗記カード紙４が４セットで１枚となるものである。
【手続補正９】
【補正対象書類名】明細書
【補正対象項目名】００４５
【補正方法】変更
【補正の内容】
【００４５】
図１９の（ａ）は、図１（ａ）に示す暗記カード紙４に、折込み線を付けるときに用いる図（ａ）で、四角い筒形の直方体ｔを斜め対角方向に広げて、図（ｂ）のように略平らにしたものを暗記カード紙４に挟みいれるために図（ｃ）のように、暗記カード紙４を縦長の中央から半分に折ったものである。
【手続補正１０】
【補正対象書類名】明細書
【補正対象項目名】００４６
【補正方法】変更
【補正の内容】
【００４６】
図２０の（ａ）・（ｂ）は、図１（ａ）に示す暗記カード紙４に折込み線を付けるときにおける、図１９の続きで、結束部８と問題枠１５との仕切りとなる結束部線８′を指で折り目線を付けた後、結束部８を指で支えながら、直方体ｔを下向き方向に押し潰す状態と、略扁平にした後、２ヶ所ある折り込み乃至押し戻すための二つ折り線６２を指で折り目線を付けるという状態を示す。
【手続補正１１】
【補正対象書類名】明細書
【補正対象項目名】００４７
【補正方法】変更
【補正の内容】
【００４７】
図２１の（ａ）は、図１（ａ）に示す暗記カード紙４を縦長の中間から半分に折ったものであり、（ｂ）は、暗記カード紙４を折り畳んでカード束１４にしたものであり、(ｃ)は図２０の（ｂ）のように扁平の直方体ｔに巻き付けて暗記カード紙４の両基端の結束部８・８をホチキス等で留めた後、扁平の直方体ｔを四角い箱状に形成して、問題ｍと解答ｋとが別個の面に表示できるようにしたものである。
これを使用するときは、例えば、問題枠１５に表示され、又は書き込まれた問題ｍに対し、その解答枠１６に表示され、又は書き込まれた解答ｋを見るには、四角い直方体ｔを９０度回転して確認する。
【手続補正１２】
【補正対象書類名】明細書
【補正対象項目名】００５３
【補正方法】変更
【補正の内容】
【００５３】
図２７の（ａ）は、問題集形式にしたものであり、結束部８で束ねられた暗記カード紙のカード束１４を１穴パンチで穴１０を明け、ジャンル別に印刷された問題ごとに束ねられたものを、カードホルダーｈに差し込み、明いている穴１０をリングや紐１１で束ねて用いる方法を示したものである。（ｂ）は綴じ代部となる余白部を重ねて結束部８で束ねられたカード束１４を２穴パンチで穴を明け、ジャンル別に印刷された問題ごとに束ねられたものを、カードホルダーｈに差し込み、２穴書類バインダーで各印刷物を綴じ、必要に応じて取り外して暗記に用いる状態を示している。
【手続補正１３】
【補正対象書類名】明細書
【補正対象項目名】００５６
【補正方法】変更
【補正の内容】
【００５６】
図３０の（ａ）は、ＵＤカードのノートＮ又はメモ帳Ｍの形式にしたものを、綴じ代部を１穴パンチで穴を明けた各ノート又は各メモ帳を、カードホルダーｈに差し込み、明けてある穴１０をリングや紐１１を束ねて用いることを示している。（ｂ）は、綴じ代部で束ねられたカード束１４を２穴パンチで穴１０を明けた各ノート又は各メモ帳の形式にしたものを、被冠形のカードホルダーｈに差し込み、２穴書類バインダーｂで綴じたものを、必要に応じて取り外して用いることができるようにしたものを示す。
【手続補正１４】
【補正対象書類名】明細書
【補正対象項目名】００５８
【補正方法】変更
【補正の内容】
【００５８】
図３２の（ａ）は、暗記カード紙４と台紙の栞２３を穴明けパンチで穴１０を明け、紐１１で結んだ状態のものの中に、栞の先端を矢印のように内側に折り曲げて入れるという状態であり、（ｂ）は、暗記カード紙４の穴１０に紐１１を通して栞２３を結んだ状態であり、本や参考書から書き写した所に栞を差し込むという状態を示す。
【手続補正１５】
【補正対象書類名】明細書
【補正対象項目名】００５９
【補正方法】変更
【補正の内容】
【００５９】
図３３は、ＬＲ式の暗記カード紙からなる問題集Ｔのうちの1枚であり、４つの枠の左枠に問題ｍを、右枠に解答ｋの順に印刷した暗記カード紙を束ねた問題集Ｔから１枚だけ取り出したものであり、右枠には、解答を鉛筆や簡単に消せる筆記具でなぞるようにしてある。また、なぞった実行年月日を書き込むようになっている。